(57)【特許請求の範囲】
【請求項１】
ＩＰネットワークに接続される主装置と、
前記主装置に接続されており、前記主装置にＩＰアドレス又は使用コーデックの設定変更選択情報を出力可能な電話機と、を備え、
前記主装置は、
前記電話機のＩＰアドレス又は使用コーデックの設定変更案内の第１の表示情報、前記電話機のＩＰアドレス又は使用コーデックの設定変更案内の第１の音声情報、前記電話機のＩＰアドレス又は使用コーデックの設定情報、及び前記電話機の表示部の有無情報が格納される記憶部と、
前記電話機の表示部の有無を判定する判定部と、
前記電話機から設定変更選択情報が入力されると、前記判定部の判定結果が、前記電話機の表示部が有りの判定結果のとき、前記第１の表示情報を前記電話機に出力し、且つ前記第１の音声情報を前記電話機に出力せず、前記電話機の表示部が無しの判定結果のとき、前記第１の音声情報を前記電話機に出力し、且つ前記第１の表示情報を前記電話機に出力せず、前記電話機の設定変更の操作入力に基づいて前記電話機のＩＰアドレス又は使用コーデックの設定を変更する設定部と、
を備えることを特徴とするＩＰ電話システム。
【請求項２】
前記電話機は、さらに前記電話機の現在のＩＰアドレス又は使用コーデックの設定状態の確認選択情報を出力可能であって、
前記記憶部には、前記電話機の現在の設定情報である、前記電話機のＩＰアドレス又は使用コーデックの設定情報の第２の表示情報と、前記電話機のＩＰアドレス又は使用コーデックの設定情報の第２の音声情報と、が格納されており、
前記主装置は、前記電話機から現在の設定状態の確認選択情報が入力されると、前記判定部の判定結果が、前記電話機の表示部が有りの判定結果のとき、前記第２の表示情報を前記電話機に出力し、前記電話機の表示部が無しの判定結果のとき、前記第２の音声情報を前記電話機に出力することを特徴とする請求項１に記載のＩＰ電話システム。
【請求項３】
前記第１の音声情報又は前記第２の音声情報は、前記電話機がオフフックの状態のとき、受話器から出力され、前記電話機がオンフックの状態のとき、スピーカから出力されることを特徴とする請求項２に記載のＩＰ電話システム。
【請求項４】
ＩＰネットワークに接続される主装置と、前記主装置に接続される電話機と、を備えるＩＰ電話システムに用いられる電話機の設定方法であって、
前記主装置は、前記電話機からＩＰアドレス又は使用コーデックの設定変更選択情報が入力されると、判定部が前記電話機の表示部の有無を判定し、前記電話機の表示部が有りの判定結果のとき、前記電話機のＩＰアドレス又は使用コーデックの設定変更案内の表示情報を前記電話機に出力し、且つ前記電話機のＩＰアドレス又は使用コーデックの設定変更案内の音声情報を前記電話機に出力せず、前記電話機の表示部が無しの判定結果のとき、前記音声情報を前記電話機に出力し、且つ前記表示情報を前記電話機に出力せず、前記電話機の設定変更の操作入力に基づいて前記電話機のＩＰアドレス又は使用コーデックの設定を変更することを特徴とする電話機の設定方法。
【発明の詳細な説明】
【技術分野】
【０００１】
本発明は、ＩＰ（Internet Protocol）電話システム及び電話機の設定方法に関する。
【背景技術】
【０００２】
ＩＰ電話システムを構成する電話機の設定を変更する場合、主装置（ルータ）にＰＣ（Personal Computer）を接続し、当該ＰＣを用いて電話機の設定を変更することが一般的であった。しかし、ＰＣを持っていなかったり、ＰＣをＩＰネットワークに接続できなかったりするときに電話機の設定を変更することができない課題を有する。
【０００３】
そこで、特許文献１に開示の技術は、主装置に電話機の設定変更の音声ガイダンスが格納されており、主装置は電話機の設定変更を行う際に当該音声ガイダンスを電話機に伝える。そして、設定者は、電話機から流れる音声ガイダンスに沿って設定変更を行う。これにより、主装置に接続されている電話機から当該電話機の設定変更を行うことができる。
【先行技術文献】
【特許文献】
【０００４】
【特許文献１】特開平１０−２００５８４号公報
【発明の概要】
【発明が解決しようとする課題】
【０００５】
近年の電話機は、表示部を備えていることが多い。しかし、特許文献１に開示の技術は、音声ガイダンスに沿って設定を変更する機能のみであるため、電話機が表示部を備えていても、当該表示部を用いて電話機の設定変更を行うことができない。
【０００６】
本発明の目的は、上述した課題を解決するＩＰ電話システム及び電話機の設定方法を提供することにある。
【課題を解決するための手段】
【０００７】
本発明に係るＩＰ電話システムは、ＩＰネットワークに接続される主装置と、前記主装置に接続されており、前記主装置に設定変更選択情報を出力可能な電話機と、を備え、前記主装置は、前記電話機の設定変更案内の第１の表示情報、前記電話機の設定変更案内の第１の音声情報、前記電話機の設定情報、及び前記電話機の表示部の有無情報が格納される記憶部と、前記電話機の表示部の有無を判定する判定部と、前記電話機から設定変更選択情報が入力されると、前記判定部の判定結果が、前記電話機の表示部が有りの判定結果のとき、前記第１の表示情報を前記電話機に出力し、前記電話機の表示部が無しの判定結果のとき、前記第１の音声情報を前記電話機に出力し、前記電話機の設定変更の操作入力に基づいて前記電話機の設定を変更する設定部と、を備える。
【０００８】
本発明に係る電話機の設定方法は、ＩＰネットワークに接続される主装置と、前記主装置に接続される電話機と、を備えるＩＰ電話システムに用いられる電話機の設定方法であって、前記主装置は、前記電話機から設定変更選択情報が入力されると、前記電話機の表示部の有無を判定し、前記判定部の判定結果が、前記電話機の表示部が有りの判定結果のとき、前記電話機の設定変更案内の表示情報を前記電話機に出力し、前記電話機の表示部が無しの判定結果のとき、前記電話機の設定変更案内の音声情報を前記電話機に出力し、前記電話機の設定変更の操作入力に基づいて前記電話機の設定を変更する。
【発明の効果】
【０００９】
本発明によれば、電話機の表示部の有無に対応した適当な設定変更案内を当該電話機に行うことができるＩＰ電話システム及び電話機の設定方法を提供することができる。
【図面の簡単な説明】
【００１０】
【図１】本発明の第１の実施の形態のＩＰ電話システムを示す概略図である。
【図２】本発明の第１の実施の形態のＩＰ電話システムを示す構成ブロック図である。
【図３】電話機での音声ガイダンスが流れる様子を示す図である。
【図４】本発明の第１の実施の形態の電話機の設定方法の流れを示すフローチャート図である。
【図５】音声ガイダンスの流れを示すフローチャートである。
【図６】本発明の第１の実施の形態のボタン電話システムにおける、電話機を示すブロック図である。
【発明を実施するための形態】
【００１１】
本発明の実施の形態に係るＩＰ電話システム及び電話機の設定方法について説明する。但し、本発明が以下の実施の形態に限定される訳ではない。また、説明を明確にするため、以下の記載及び図面は、適宜、簡略化されている。
【００１２】
＜第１の実施の形態＞
本実施の形態のＩＰ電話システムは、図１及び２に示すように、主装置１００、ＨＵＢ２００、複数の電話機３００（ｎ、ｎ+１、ｎ+２、・・・、但し、ｎは１以上の整数）、ＤＨＣＰ（Dynamic Host Configuration Protocol）サーバー４００を備える。なお、本実施の形態では、電話機３００が主装置１００にＨＵＢ２００を介して有線接続されているが、ＨＵＢ２００を介さずに、電話機３００が主装置１００に無線接続されても良い。ちなみに、ＨＵＢ２００としては、一般的なＨＵＢを用いることができ、本発明の本質的構成でないので、説明を省略する。
【００１３】
主装置１００は、図２に示すように、第１の内線インターフェース部１１０、外線インターフェース部１２０、制御部１３０、記憶部１４０などを備える。第１の内線インターフェース部１１０には、ＨＵＢ２００を介して複数の電話機３００が接続されている。外線インターフェース部１２０には、公衆回線であるＩＰネットワーク（ＩＰ網）５００が接続されている。
【００１４】
制御部１３０は、例えば記憶部１４０に格納されているプログラムに基づいて動作する。制御部１３０は、機能処理部１３１、判定部１３２、設定部１３３などを備える。機能処理部１３１は、各電話機の動作制御やＩＰ網５００の制御など、一般的なＩＰ電話システムが持つ機能を提供する。機能処理部１３１は、例えばＩＰ網５００から外線インターフェース部１２０を介して入力される通信情報を、当該通信情報に含まれる受信電話先のＩＰアドレスに基づいて、第１の内線インターフェース部１１０を介して所定の電話機に出力する。また、機能処理部１３１は、所定の電話機から第１の内線インターフェース部１１０を介して入力される通信情報を、当該通信情報に含まれる送信電話先のＩＰアドレスに基づいて、ＩＰ網５００内の適当なルータに出力する。
【００１５】
機能処理部１３１には、電話機３００から設定変更選択情報が入力される。すなわち、所定の電話機３００の設定を変更するために、設定者が電話機３００の操作部３５０を操作すると、電話機３００から設定変更選択情報が主装置１００の機能処理部１３１に出力される。機能処理部１３１は、設定変更選択情報に含まれる送信電話先のＩＰアドレスに基づいて、設定変更の要求を行った電話機３００を特定し、この特定結果と共に電話機３００の設定変更の要求が行われたことを示す情報を判定部１３２に出力する。
【００１６】
判定部１３２は、設定変更の要求を行った電話機３００の表示部３３０の有無を判定する。すなわち、判定部１３２には、設定変更の要求を行った電話機３００の特定結果、及び電話機３００の設定変更の要求が行われたことを示す情報が機能処理部１３１から入力される。判定部１３２は、記憶部１４０に格納されている、複数の電話機３００毎の表示部３３０の有無情報を読み出し、設定変更の要求を行った電話機３００の表示部３３０の有無を判定する。判定部１３２は、この判定結果と共に電話機３００の設定変更の要求が行われたことを示す情報を設定部１３３に出力する。
【００１７】
設定部１３３は、判定部１３２から入力される判定結果、及び電話機３００の設定変更の要求が行われたことを示す情報に基づいて、設定変更の要求を行った電話機３００に設定変更案内を出力する。すなわち、設定部１３３は、判定部１３２から入力される判定結果が、設定変更の要求を行った電話機３００の表示部３３０が有りの判定結果のとき、記憶部１４０に格納されている、設定変更案内の表示情報（例えば、テキストデータ等）を、設定変更の要求を行った電話機３００に出力する。一方、設定部１３３は、判定部１３２から入力される判定結果が、設定変更の要求を行った電話機３００の表示部３３０が無しの判定結果のとき、記憶部１４０に格納されている、設定変更案内の音声情報（音声ガイダンスデータ）を、図３（ａ）、（ｂ）に示すように、設定変更の要求を行った電話機３００に出力する。設定者は、電話機３００の表示部３３０に表示される設定変更案内、又は電話機３００が備える受話器３８０又はスピーカ３６０から流れる設定変更案内に倣って、操作部３５０を操作して、例えば電話機３００のＩＰアドレスや使用コーデックの種類、ネットワーク構成などの設定を変更する。電話機３００は、設定者が操作部３５０を操作することで、変更した設定情報を設定部１３３に出力する。設定部１３３は、当該変更した設定情報を、新たな設定情報として記憶部１４０に格納する。
【００１８】
記憶部１４０は、主装置１００の制御を司るプログラム、電話機３００の設定変更案内の表示情報（第１の表示情報）、電話機３００の設定変更案内の音声情報（第１の音声情報）、電話機の設定情報、及び主装置１００に接続されている電話機３００毎の表示部３３０の有無情報などが格納されている。
【００１９】
このような構成のＩＰ電話システムを用いて、本実施の形態の電話機の設定方法は、図４に示す流れで実施される。
先ず、設定者が、所定の電話機３００の設定変更を要求するために、電話機３００の操作部３５０を操作して、後述する設定変更コマンドを選択（入力）する。これにより、電話機３００は、設定変更選択情報を主装置１００の機能処理部１３１に出力する（Ｓ１）。
【００２０】
機能処理部１３１は、設定変更選択情報に含まれる送信電話先のＩＰアドレスに基づいて、設定変更の要求を行った電話機３００を特定し、この特定結果と共に電話機３００の設定変更の要求が行われたことを示す情報を判定部１３２に出力する（Ｓ２）。
【００２１】
判定部１３２は、記憶部１４０に格納されている、複数の電話機３００毎の表示部３３０の有無情報を読み出し、機能処理部１３１から入力された特定結果に基づいて、設定変更の要求を行った電話機３００の表示部３３０の有無を判定する（Ｓ３）。判定部１３２は、この判定結果と共に電話機３００の設定変更の要求が行われたことを示す情報を設定部１３３に出力する。
【００２２】
設定部１３３は、判定部１３２から入力される判定結果が、設定変更の要求を行った電話機３００の表示部３３０が有りの判定結果のとき、記憶部１４０に格納されている、設定変更案内の表示情報を、設定変更の要求を行った電話機３００に出力する（Ｓ４）。
【００２３】
一方、設定部１３３は、判定部１３２から入力される判定結果が、設定変更の要求を行った電話機３００の表示部３３０が無しの判定結果のとき、記憶部１４０に格納されている、設定変更案内の音声情報を、設定変更の要求を行った電話機３００に出力する（Ｓ５）。
【００２４】
設定者は、電話機３００の表示部３３０に表示される設定変更案内、又は電話機３００が備える受話器３８０又はスピーカ３６０から流れる設定変更案内に倣って、操作部３５０を操作して、例えば電話機３００の設定を変更する（Ｓ６、Ｓ７）。
【００２５】
ここで、音声ガイダンスに倣って設定者が電話機３００の設定変更を行う手順を、図５に基づいて説明する。設定者が、電話機３００の操作部３５０を操作して、設定変更コマンドを選択すると、主装置１００は設定変更案内の音声情報を電話機３００に出力し、電話機３００は音声ガイダンスを出力する（Ｓ７０１）。
【００２６】
音声ガイダンスとしては、先ず電話機３００の設定変更項目が流れ、設定者は当該設定変更項目の中から一つの項目を選択する（Ｓ７０２）。音声ガイダンスとして、例えば「ＩＰアドレスを変更する場合は数字の１を、使用コーデックの種類を変更する場合は数字の２を押して下さい」と流れる。設定者は、電話機３００のＩＰアドレスを変更する場合は操作部３５０の１を押し、使用コーデックの種類を変更する場合は操作部３５０の２を押す。電話機３００は、設定者が操作部３５０の１を押すと、ＩＰアドレスの設定変更を選択したことを示す情報を、主装置１００の設定部１３３に出力する。一方、電話機３００は、設定者が操作部３５０の２を押すと、使用コーデックの種類の設定変更を選択したことを示す情報を、主装置１００の設定部１３３に出力する。
【００２７】
上述のように設定者が操作部３５０の１又は２を押すと、主装置１００の設定部１３３は、記憶部１４０から新たな設定変更案内の音声情報を読み出して電話機３００に出力し、電話機３００は音声ガイダンスを出力する。音声ガイダンスとして、例えば「変更する場合は♯を、変更しない場合は＊を押して下さい」と流れる。
【００２８】
設定者が操作部３５０の♯を押すと、電話機３００は、ＩＰアドレスの設定変更又は使用コーデックの種類の設定変更を選択した確認情報を、主装置１００の設定部１３３に出力する（Ｓ７０３、Ｓ７０４）。主装置１００の設定部１３３は、記憶部１４０から新たな設定変更案内の音声情報を読み出して電話機３００に出力し、電話機３００は、設定変更情報の入力を促す音声ガイダンスを出力する。音声ガイダンスとして、例えば「ＩＰアドレスを入力して下さい」と流れる。設定者は、操作部３５０を操作して、ＩＰアドレスを入力する（Ｓ７０５）。電話機３００は、このように入力された設定変更情報を、主装置１００の設定部１３３を介して記憶部１４０に格納する。
【００２９】
または、音声ガイダンスとして、例えば「使用コーデックの種類を入力して下さい」と流れる。設定者は、操作部３５０を操作して、使用コーデックの種類を入力する（Ｓ７０６）。電話機３００は、このように入力された設定変更情報を、主装置１００の設定部１３３を介して記憶部１４０に格納する。
【００３０】
一方、電話機３００は、設定者が操作部３５０の＊を押すと、電話機３００は、ＩＰアドレスの設定変更又は使用コーデックの種類の設定変更を拒否したことを示す情報を、主装置１００の設定部１３３に出力する（Ｓ７０３、Ｓ７０４）。これにより、電話機３００での音声ガイダンスが終了する。
【００３１】
次に、設定者がＩＰアドレス又は使用コーデックの種類の入力を完了すると、入力された設定変更情報が正しいか否かを設定者に確認させるために、主装置１００は、記憶部１４０から設定変更情報を読み出し、電話機３００に出力する。電話機３００は、音声ガイダンスによって設定変更情報を出力する。音声ガイダンスとして、例えば「入力されたＩＰアドレスは、１９２．＊．＊．＊です。正しい場合は♯を、訂正する場合は＊を押して下さい」と流れる。設定者は、入力したＩＰアドレスが正しい場合は操作部３５０の♯を押し、訂正する場合は＊を押す（Ｓ７０７）。
【００３２】
または、音声ガイダンスとして、例えば「入力された使用コーデックの種類は、Ｇ．７２３です。正しい場合は♯を、訂正する場合は＊を押して下さい」と流れる。設定者は、入力した使用コーデックの種類が正しい場合は操作部３５０の♯を押し、訂正する場合は＊を押す（Ｓ７０８）。
【００３３】
設定者が操作部３５０の♯を押すと、電話機３００は、変更したＩＰアドレス又は使用コーデックの種類が正しいことを示す情報を、主装置１００の設定部１３３に出力する。これにより、記憶部１４０には、当該変更した設定情報が、新たな設定情報として確定され（Ｓ７０９、Ｓ７１０）、電話機３００での音声ガイダンスが終了する（Ｓ７１１）。以上により、電話機３００の設定変更作業が終了する。
一方、設定者が＊を押すと、もう一度Ｓ７０３又はＳ７０４に戻り、電話機３００からの設定者の入力を音声ガイダンスによって促す。
【００３４】
なお、電話機３００の表示部３３０に設定変更内容を表示する場合は、音声ガイダンスの内容が表示内容に変更され、略同様に電話機３００の設定変更案内が行われる。
【００３５】
本実施の形態のＩＰ電話システム及び電話機の設定方法は、設定変更の要求を行った電話機３００が表示部３３０を有するとき、設定変更案内を表示部３３０に表示し、電話機３００が表示部３３０を有しないとき、設定変更案内を受話器３８０又はスピーカ３６０から出力する。そのため、本実施の形態のＩＰ電話システム及び電話機の設定方法は、電話機３００の表示部３３０の有無に対応した適当な設定変更案内を行うことができる。しかも、ＰＣがなくても、電話機３００の設定を変更することができるので、電話機３００の設定変更が簡単である。勿論、主装置１００又は、ＨＵＢ２００にＰＣ６００を接続し、当該ＰＣ６００からも電話機３００の設定変更を行うことができる構成又は、ＨＵＢ２００に接続したＰＣ６００から電話機３００の設定を変更できる構成とされていることが好ましい。ちなみに、図１に示すように、ＰＣ６００をインターフェース７００を介して電話機３００に接続し、当該電話機３００の設定を変更することができる構成とされていることが好ましい。
【００３６】
電話機３００は、図６に示すように、例えば第２の内線インターフェース部３１０、制御部３２０、表示部３３０、記憶部３４０、操作部３５０、スピーカ３６０、マイク３７０、受話器３８０などを備える。但し、図６に示す電話機３００は、表示部３３０を備えているが、上述したように表示部３３０を省略した構成でも良い。
【００３７】
第２の内線インターフェース部３１０は、ＨＵＢ２００を介して主装置１００の第１の内線インターフェース部１１０に接続されている。制御部３２０は、記憶部３４０に格納されているプログラムなどに基づいて電話機３００を制御する。すなわち、制御部３２０は、主装置１００の機能処理部１３１から入力される受信情報（音声情報）を復号化して、スピーカ３６０から出力する。制御部３２０は、マイク３７０から入力された音声情報を符号化して、主装置１００の機能処理部１３１に出力する。制御部３２０は、操作部３５０からの入力情報を符号化して、主装置１００の機能処理部１３１に出力する。制御部３２０は、主装置１００の設定部１３３から入力される、設定変更案内の表示情報を表示部３３０に出力する。または制御部３２０は、主装置１００の設定部１３３から入力される、設定変更案内の音声情報を、電話機３００がオンフックのときはスピーカ３６０から、電話機３００がオフフックのときは受話器３８０から出力する。
【００３８】
さらに制御部３２０は、プログラムに基づいて各種のコマンドを表示部３３０に表示する。このとき、表示部３３０には、設定変更コマンドが表示され、設定者は操作部３５０を操作することで、設定変更コマンドを選択する。制御部３２０は、設定者が設定変更コマンドを選択すると、設定変更選択情報を主装置１００の機能処理部１３１に出力する。但し、電話機３００が表示部３３０を有しない場合は、例えば後述する設定変更コマンドを入力する第１の入力部（ボタン）を設定者が押すと、制御部３２０は設定変更コマンドが選択されたと判断し、設定変更選択情報を主装置１００の機能処理部１３１に出力する。
【００３９】
表示部３３０は、画像を表示する液晶ディスプレイ装置などを備える。表示部３３０は、制御部３２０からの制御情報に基づいて制御される。記憶部３４０は、電話機の制御を司るプログラムや設定情報などが格納されている。操作部３５０は、テンキーやスクロールキーなどを備える。特に、操作部３５０は、電話機３００が表示部３３０を備えていない場合、設定変更コマンドを入力する第１の入力部を備えていることが好ましい。
【００４０】
ＤＨＣＰサーバー４００は、ＨＵＢ２００に接続されている。ＤＨＣＰサーバー４００は、ＨＵＢ２００に接続された電話機３００に対してＩＰアドレスを自動的に振り分ける。このように電話機３００毎に振り分けられたＩＰアドレスは、例えば主装置１００の記憶部１４０に電話機３００の設定情報として格納される。なお、本実施の形態では、ＤＨＣＰサーバー４００を用いて、ＨＵＢ２００に接続された電話機３００毎にＩＰアドレスを振り分けたが、この限りでない。つまり、ＤＨＣＰサーバー４００を省略しても良く、この場合はＨＵＢ２００に電話機３００を接続し、当該電話機３００の操作部３５０を操作して設定者がＩＰアドレスを入力する。また、本実施の形態では、ＤＨＣＰサーバー４００は、ＨＵＢ２００に接続されているが、例えば主装置１３０の機能処理部１３１に内蔵されていても良い。
【００４１】
＜第２の実施の形態＞
本発明の第２の実施の形態に係るＩＰ電話システム及び電話機の設定方法を説明する。本実施の形態のＩＰ電話システム及び電話機の設定方法は、第１の実施の形態のＩＰ電話システム及び電話機の設定方法に加えて、電話機３００の現在の設定状態を確認することができる機能を備えている。
【００４２】
本実施の形態では、電話機３００が表示部３３０を有する構成の場合、制御部３２０は表示部３３０に、電話機３００の設定変更コマンドと、電話機３００の現在の設定状態の確認コマンドと、を表示し、設定者に選択を促す。一方、電話機３００が表示部３３０を有しない構成の場合、設定者に電話機３００の設定変更と現在の設定状態の確認との選択を促すために、操作部３５０は設定変更コマンドを入力する第１の入力部と、現在の設定状態の確認コマンドを入力する第２の入力部と、を備える。
【００４３】
設定者が所定の電話機３００の操作部３５０を操作して、設定変更コマンドを選択すると、上記第１の実施の形態と同様の流れで、電話機３００の設定変更が行われる。一方、設定者が所定の電話機３００の操作部３５０を操作して、現在の設定状態の確認コマンドを選択すると、主装置１００の機能処理部１３１に確認選択情報が入力される。機能処理部１３１は、確認選択の要求を行った電話機３００を当該確認選択情報に含まれる送信電話先のＩＰアドレスに基づいて特定し、この特定結果と共に電話機３００の設定確認の要求が行われたことを示す情報を判定部１３２に出力する。
【００４４】
判定部１３２は、設定確認の要求を行った電話機３００の表示部３３０の有無を判定する。すなわち、判定部１３２には、設定確認の要求を行った電話機３００の特定結果、及び電話機３００の設定確認の要求が行われたことを示す情報が機能処理部１３１から入力される。判定部１３２は、記憶部１４０に格納されている、複数の電話機３００毎の表示部３３０の有無情報を読み出し、設定確認の要求を行った電話機３００の表示部３３０の有無を判定する。判定部１３２は、この判定結果と共に設定確認の要求が行われたことを示す情報を設定部１３３に出力する。
【００４５】
設定部１３３は、判定部１３２から入力される判定結果、及び電話機３００の設定確認の要求が行われたことを示す情報に基づいて、設定確認の要求を行った電話機３００に設定情報を出力する。すなわち、設定部１３３は、判定部１３２から入力される判定結果が、設定確認の要求を行った電話機３００の表示部３３０が有りの判定結果のとき、記憶部１４０に格納されている、当該電話機３００の設定情報の表示情報を、設定確認の要求を行った電話機３００に出力する。一方、設定部１３３は、判定部１３２から入力される判定結果が、設定確認の要求を行った電話機３００の表示部３３０が無しの判定結果のとき、記憶部１４０に格納されている、当該電話機３００の設定情報の音声情報を、設定確認の要求を行った電話機３００に出力する。
【００４６】
このように設定変更の要求を行った電話機３００が表示部３３０を有するとき、設定変更案内又は現在の設定情報を表示部３３０に表示し、電話機３００が表示部３３０を有しないとき、設定変更案内又は現在の設定情報を受話器３８０又はスピーカ３６０から出力する。そのため、本実施の形態のＩＰ電話システム及び電話機の設定方法は、電話機３００の表示部３３０の有無に対応した適当な設定変更案内を行うだけでなく、現在の設定情報の確認を行うことができる。
【００４７】
本発明は上記実施の形態に限られたものではなく、趣旨を逸脱しない範囲で適宜変更することが可能である。
上記実施の形態では、変更したＩＰアドレス又は使用コーデックの種類が正しいか否かを主装置１００の記憶部１４０に格納した情報に基づいて、判断しているが、この限りでない。すなわち、電話機３００の設定部３２０は、変更したＩＰアドレス又は使用コーデックの種類を電話機３００の記憶部３４０に一旦格納し、当該記憶部３４０から変更したＩＰアドレス又は使用コーデックの種類を読み出して設定変更内容が正しいか否かを判断し、正しいと判断すると、主装置１００に出力する構成でも良い。
上記実施の形態では、電話機３００の現在の設定情報を確認する際に、主装置１００の記憶部１４０に格納されている電話機３００の現在の設定情報を用いているが、上述のように設定変更情報を電話機３００の記憶部３４０に格納している場合は、当該記憶部３４０に格納されている設定変更情報を電話機３００の現在の設定情報として用いても良い。
【符号の説明】
【００４８】
１００  主装置
１１０  第１の内線インターフェース部
１２０  外線インターフェース部
１３０  制御部、１３１  機能処理部、１３２  判定部、１３３  設定部
１４０  記憶部
３００  電話機
３１０  第２の内線インターフェース部
３２０  制御部
３３０  表示部
３４０  記憶部
３５０  操作部
３６０  スピーカ
３７０  マイク
３８０  受話器
４００  ＤＨＣＰサーバー
５００  ＩＰ網
６００  ＰＣ
７００  インターフェース
【図１】
0005334209.tif 000002
【図２】
0005334209.tif 000003
【図３】
0005334209.tif 000004
【図４】
0005334209.tif 000005
【図５】
0005334209.tif 000006
【図６】
0005334209.tif 000007